(57)【特許請求の範囲】
【請求項１】
底板または該底板と重合する上枠に四側壁の側板が内側に傾倒し得るように枢着され該側板の表面には内容物を表示するためのカードが止着される合成樹脂製の折り畳みコンテナであって、前記底板，上枠，側板のうちのいずれかのパーツを互いに色相の異なる合成樹脂材料にて前記カードが表示された側は色相が異なるように略半部ずつ成形してなることを特徴とした折り畳みコンテナ。
【請求項２】
底板または該底板と重合する上枠に四側壁の側板が内側に傾倒し得るように枢着され該側板の表面には内容物を表示するためのカードが止着される合成樹脂製の折り畳みコンテナであって、前記底板または上枠を互いに色相の異なる合成樹脂材料にて前記カードが表示された側は色相が異なるように略半部ずつ成形してなることを特徴とした折り畳みコンテナ。
【発明の詳細な説明】
【０００１】
【発明の属する技術分野】
本発明は、各種物品の運搬，保管等に使用される合成樹脂製の折り畳みコンテナに関するものである。
【０００２】
【従来の技術】
折り畳みコンテナには、例えば実用新案登録第２５８９１６６号に示されたように、底板と重合する上枠に四側壁の側板を夫々内側に傾倒し得るように枢着したものが知られているほか、特開２００１−１３０５５３号に示されたように、底板の四側辺に側板を夫々内側に傾倒し得るように枢着したものが知られている。
【０００３】
【発明が解決しようとする課題】
ところで、搬送ラインが自動化された各種組立工場等では、通常の運搬用コンテナですでに実施されているように、この種の折り畳みコンテナにもその内容物を表示するためのカード差しを設けたり、バーコードが表示され、機械的に識別できるようにしたいという要望がある。
【０００４】
しかしながら従来の上記折り畳みコンテナでは、折り畳んだ状態では側板が内側へ倒されているのでカード差しやバーコードが見られず、カード差しやバーコードがどの側板にあるのかも判らないので、コンベヤ上に方向がまちまちで乗せられてしまい、自動で組み立てられても識別が不能になるおそれがあった。特に多数が段積みされた場合は識別が困難であった。このため上記折り畳みコンテナでは、やむを得ず両側にカード差しやバーコードを表示することもあった。
【０００５】
また、コンテナの色によって内容物を外から識別できるようにしたいという要望もあるが、折り畳みコンテナの場合は一体成形のコンテナと異なり四側壁の側板が底板と別体であり構成するパーツの数が多いために、内容物に応じて多種の色分けをしようとすると成形コストが掛るという問題があった。
本発明は、上述に鑑みてなされたもので、識別が容易なる折り畳みコンテナを低コストにて提供できるようにするものである。
【０００６】
【課題を解決するための手段】
そのために本発明は、底板または該底板と重合する上枠に四側壁の側板が内側に傾倒し得るように枢着された合成樹脂製の折り畳みコンテナであって、前記底板，上枠，側板のうちのいずれかのパーツを他のパーツと色相の異なる合成樹脂材料にて成形してなることを特徴とする。
また本発明は、底板または該底板と重合する上枠に四側壁の側板が内側に傾倒し得るように枢着され該側板の表面には内容物を表示するためのカードが止着される合成樹脂製の折り畳みコンテナであって、前記底板，上枠，側板のうちのいずれかのパーツを互いに色相の異なる合成樹脂材料にて前記カードが表示された側は色相が異なるように略半部ずつ成形してなることを特徴とする。
また本発明は、底板または該底板と重合する上枠に四側壁の側板が内側に傾倒し得るように枢着され該側板の表面には内容物を表示するためのカードが止着される合成樹脂製の折り畳みコンテナであって、該底板または上枠を互いに色相の異なる合成樹脂材料にて前記カードが表示された側は色相が異なるように略半部ずつ成形してなることを特徴とする。
【０００７】
【発明の実施の形態】
次に図面に従い本発明の実施の形態を説明する。図１は本発明に係るコンテナの斜視図、図２はその折り畳み途中の斜視図、図３は折り畳み時の斜視図である。図中、１は長方形状の底板、２は該底板の長側辺に下縁が枢着され軸部３によって内向きにく字状に折れ曲り可能なるように設けられた側板、４は該側板２の上縁が枢着された長方形状の上枠、５は該上枠の短側辺に内側に傾倒可能なるように枢着された側板である。なお、６は該側板５の表面に止め具７によって止着したカードである。
【０００８】
上記底板１，側板２，５，上枠４はいずれも合成樹脂の射出成形によるが、上枠４に関しては左右半部分毎に色相の異なる合成樹脂を使用し、いわゆる２色成形とする。このように上枠４の色相を左右で異ならせることで、図３に示したように折り畳んだ状態としてもこのコンテナにおける上記カード６が表示された側を識別することができる。
【０００９】
一方、図４に示したコンテナは、底板１の四側辺に側板２，５を夫々内側に傾倒可能に枢着し、側板５の表面に止め具７によってカード６を止着してなるもので、この実施形態に示すコンテナでは、底板１を２色成形することで、図５に示したように折り畳んだ状態としても側方からこのコンテナにおける上記カード６が表示された側を容易に識別することができる。
【００１０】
また、図６に示した実施形態は、上枠４の外側面に該上枠とは色違いの識別ピース８を固着してなるもので、該識別ピース８は図７に示したように裏面に突設された膨縮ピン９を上枠４に開設された取付孔１０に差し込んで固着される。このため、このコンテナを折り畳んだときこの識別ピース８によってもカード６が表示された側を識別することができる。なお、該識別ピース８は底板１の外側面に固着してもよい。
【００１１】
また、図８に示した本発明の他の実施形態は、上枠４を四側壁の側板２，５とは色違いの合成樹脂材料にて成形してなるもので、このように上枠４の色相を他のパーツと異なるようにすれば折り畳んだ状態でも色識別が可能であるので、その他のパーツである底板１，側板２，５等は共用しても、用途や内容物等に応じて多種のコンテナを容易に製造することが可能となり、識別を容易とする多種のコンテナを低コストで製造することができる。また、図示しないが、同様の趣旨で底板１や側板２または側板５を他のパーツの色相と異ならしめてもよい。
【００１２】
【発明の効果】
このように本発明は、底板，上枠，側板のうちのいずれかのパーツを互いに色相の異なる合成樹脂材料にてカードが表示された側は色相が異なるように略半部ずつ成形し、また底板または上枠を互いに色相の異なる合成樹脂材料にてカードが表示された側は色相が異なるように略半部ずつ成形することで、折り畳んだ状態でもカードやバーコード等が表示された側を容易に識別ができるようになり、折り畳み状態のままで機械的に搬送方向が揃えられるなど、搬送ラインを自動化するのに顕著な効果がある。
【図面の簡単な説明】
【図１】本発明に係るコンテナの実施形態を示す斜視図。
【図２】図１のコンテナの折り畳み途中の斜視図。
【図３】図１のコンテナの折り畳み時の斜視図。
【図４】本発明に係るコンテナの他の実施形態を示す斜視図。
【図５】図４のコンテナの折り畳み時の斜視図。
【図６】本発明に係るコンテナの他の実施形態を示す斜視図。
【図７】図６の要部拡大断面図。
【図８】本発明に係るコンテナの他の実施形態を示す斜視図。
【符号の説明】
１      底板
２      側板
４      上枠
５      側板
６      カード
７      止め具
８      識別ピース
【図１】
0003927013.tif 000002
【図２】
0003927013.tif 000003
【図３】
0003927013.tif 000004
【図４】
0003927013.tif 000005
【図５】
0003927013.tif 000006
【図６】
0003927013.tif 000007
【図７】
0003927013.tif 000008
【図８】
0003927013.tif 000009